(57)【要約】【課題】  操作部の操作により、複雑な出力設定を行う場合、特に多部数を出力する場合、テスト的に一部だけ出力した後も、所定時間内に継続して操作がなされれば、プリント出力に割り込まれることがなく、テスト後の本出力を行うことができ、また、操作部の操作者が途中で処理を明示的にキャンセルしないような場合でも、プリンタ動作が継続して禁止されず、プリンタ動作の起動が可能となる、画像形成装置、画像形成方法を提供する。【解決手段】  原稿台上の原稿を画像データとして読み取る第一の画像データ入力手段と、通信媒体を介して他の情報処理装置から画像情報を入力する第二の画像データ入力手段とを備えた画像形成装置において、操作部の出力設定中（Ｓ１３０，１３１）、および、前記テスト出力に始まり、本出力が完了するまで（Ｓ１３４，１３５）、前記第二の画像データ入力手段による印刷出力処理の起動を禁止する。【選択図】        図６
2006056025.tif 000002
【特許請求の範囲】
【請求項１】
原稿台上の原稿を画像データとして読み取る第一の画像データ入力手段と、通信媒体を介して他の情報処理装置から画像データを入力する第二の画像データ入力手段と、前記第一および第二の画像データ入力手段により入力される画像データを保存する保存手段と、前記第一および第二の画像データ入力手段による画像データ、および前記保存した画像データを用紙に印刷出力する印刷手段と、前記保存された画像データの出力設定可能な操作部と、を備え、前記操作部の操作により、出力設定の可否を検討できるように、所定枚数、または所定部数をテスト出力できる機能を有する画像形成装置において、
前記操作部の出力設定中、および、前記テスト出力に始まり、本出力が完了するまで、前記第二の画像データ入力手段による印刷出力処理の起動を禁止するように制御する制御手段を備えたことを特徴とする画像形成装置。
【請求項２】
請求項１に記載の画像形成装置において、
前記制御手段は、前記操作部により設定されたテスト出力の出力処理後、前記操作部に対する操作が所定時間内に継続するのであれば、継続して前記第二の画像データ入力手段による印刷出力処理の起動を禁止し、所定時間内に継続しないのであれば、前記第二の画像データ入力手段による印刷出力処理の起動を許可するように制御することを特徴とする画像形成装置。
【請求項３】
請求項１に記載の画像形成装置において、
前記制御手段は、前記操作部による前記画像出力設定が開始されてから、所定時間内に画像出力設定操作が継続しない場合、前記画像出力を完了していなくとも、前記第二の画像データ入力手段による印刷処理の起動を許可することを特徴とする画像形成装置。
【請求項４】
請求項１に記載の画像形成装置において、
前記制御手段は、前記操作部による前記画像出力設定が第一の所定時間内に操作継続されず、前記第二の画像データ入力手段による印刷処理が許可され、更に第二の所定時間内に操作が継続されなければ、前記操作部の設定操作表示をデフォルト表示に戻すように制御することを特徴とする画像形成装置。
【請求項５】
請求項１に記載の画像形成装置において、
前記操作部による前記画像出力設定が開始されてから、前記操作部による本出力が完了するまでの間に、前記第二の画像データ入力手段による印刷処理が発生した場合に、前記操作部の操作者に対し、前記印刷処理の割込み許可の有無を問い合わせる問い合わせ手段を備えたことを特徴とする画像形成装置。
【請求項６】
通信媒体を介して外部の情報処理装置から画像情報を入力する画像データ入力手段と、
操作者による指示に応じて画像データを読み出せるよう印刷対象のジョブの画像データを保存する保存手段と、
前記画像データ入力手段による画像データおよび前記保存手段に保存された画像データを用紙に印刷出力する印刷手段と、
前記保存手段に保存されたジョブの画像データを本印刷前に所定枚数または所定部数をテスト印刷するテスト印刷指示を含む印刷設定を行う操作部と、
前記テスト印刷開始から本印刷が完了するまで、前記テスト印刷を行ったジョブ以外の前記画像データ入力手段による印刷出力処理の起動を禁止するよう制御する制御手段とを備えたことを特徴とする画像形成装置。
【請求項７】
請求項６に記載の画像形成装置において、
前記制御手段は、前記操作部により指示されたテスト印刷の印刷後、前記操作部に対する操作が所定時間内に継続するのであれば、継続して前記画像データ入力手段による印刷出力処理の起動を禁止し、所定時間内に継続しないのであれば、前記画像データ入力手段による印刷出力処理の起動を許可するよう制御することを特徴とする画像形成装置。
【請求項８】
請求項６に記載の画像形成装置において、
前記制御手段は、前記操作部による印刷設定が開始されてから、所定時間内に印刷設定操作が継続しない場合、前記画像出力を完了していなくとも、前記画像データ入力手段による印刷処理の起動を許可するよう制御することを特徴とする画像形成装置。
【請求項９】
請求項６に記載の画像形成装置において、
前記制御手段は、前記操作部による前記印刷設定が第一の所定時間内に操作継続されず、前記画像データ入力手段による印刷処理が許可され、更に第二の所定時間内に操作が継続されなければ、前記操作部の設定操作表示をデフォルト表示に戻すように制御することを特徴とする画像形成装置。
【請求項１０】
請求項６に記載の画像形成装置において、
前記操作部による前記印刷設定が開始されてから、前記印刷手段による本印刷が完了するまでの間に、前記第二の画像データ入力手段による印刷処理が発生した場合に、前記操作部の操作者に対し、前記印刷処理の割込み許可の有無を問い合わせる問い合わせ手段を備えたことを特徴とする画像形成装置。
【請求項１１】
操作部での操作に従ってプリントジョブを実行する画像形成装置の制御方法において、
プリントジョブにかかる操作部の操作を受け付けるステップＡと、前記ステップＡで受け付けた操作が、プリント出力が予想される操作であるかどうかの判定をするステップＢと、前記ステップＢでプリント出力が予想される操作であると判定された場合に前記ジョブとは異なるプリントジョブを禁止するステップＣと、を備えたことを特徴とする画像形成装置の制御方法。
【発明の詳細な説明】
【技術分野】
【０００１】
本発明は、コピー機能、プリンタ機能等の複数の機能を持つ画像形成装置に関し、特にその出力処理の優先度に関するものである。
【背景技術】
【０００２】
従来、コピー機能、プリンタ機能等の複数の機能を持つ画像形成装置において、ある機能の使用中に別の機能の使用要求がかかるような場合のジョブ優先度について、コピー機能の操作中はプリンタジョブを停止させるという提案がなされている（下記特許文献１参照）。
【特許文献１】特開平１０−１６１４７９号公報
【発明の開示】
【発明が解決しようとする課題】
【０００３】
操作部の操作により、複雑な出力設定を行う場合、特に多部数を出力する場合、テスト的に一部だけ出力したいときがある。このとき、テスト出力後にプリンタジョブの起動が許可されると、テスト後の本出力が継続して行われず、操作者が待たされ、利便性が悪いという問題が生じる。また、操作部の操作中にプリンタ動作を許可しない場合で、操作部の操作者が途中で処理を明示的にキャンセルしないようなときに、プリンタ動作が継続して許可されない状態が発生する。
【０００４】
本発明は、このような状況のもとでなされたもので、操作部の操作により、複雑な出力設定を行う場合、特に多部数を出力する場合、テスト的に一部だけ出力した後も、所定時間内に継続して操作がなされれば、プリント出力に割り込まれることがなく、テスト後の本出力を行うことができ、また、操作部の操作者が途中で処理を明示的にキャンセルしないような場合でも、プリンタ動作が継続して禁止されず、プリンタ動作の起動が可能となる、画像形成装置、画像形成方法を提供することを課題とするものである。
【課題を解決するための手段】
【０００５】
前記課題を解決するため、本発明では、画像形成装置を次の（１）ないし（１０）のとおりに構成し、画像形成装置の制御方法を次の（１１）のとおりに構成する。
【０００６】
（１）原稿台上の原稿を画像データとして読み取る第一の画像データ入力手段と、通信媒体を介して他の情報処理装置から画像データを入力する第二の画像データ入力手段と、前記第一および第二の画像データ入力手段により入力される画像データを保存する保存手段と、前記第一および第二の画像データ入力手段による画像データ、および前記保存した画像データを用紙に印刷出力する印刷手段と、前記保存された画像データの出力設定可能な操作部と、を備え、前記操作部の操作により、出力設定の可否を検討できるように、所定枚数、または所定部数をテスト出力できる機能を有する画像形成装置において、
前記操作部の出力設定中、および、前記テスト出力に始まり、本出力が完了するまで、前記第二の画像データ入力手段による印刷出力処理の起動を禁止するように制御する制御手段を備えた画像形成装置。
【０００７】
（２）前記（１）に記載の画像形成装置において、
前記制御手段は、前記操作部により設定されたテスト出力の出力処理後、前記操作部に対する操作が所定時間内に継続するのであれば、継続して前記第二の画像データ入力手段による印刷出力処理の起動を禁止し、所定時間内に継続しないのであれば、前記第二の画像データ入力手段による印刷出力処理の起動を許可するように制御する画像形成装置。
【０００８】
（３）前記（１）に記載の画像形成装置において、
前記制御手段は、前記操作部による前記画像出力設定が開始されてから、所定時間内に画像出力設定操作が継続しない場合、前記画像出力を完了していなくとも、前記第二の画像データ入力手段による印刷処理の起動を許可する画像形成装置。
【０００９】
（４）前記（１）に記載の画像形成装置において、
前記制御手段は、前記操作部による前記画像出力設定が第一の所定時間内に操作継続されず、前記第二の画像データ入力手段による印刷処理が許可され、更に第二の所定時間内に操作が継続されなければ、前記操作部の設定操作表示をデフォルト表示に戻すように制御する画像形成装置。
【００１０】
（５）前記（１）に記載の画像形成装置において、
前記操作部による前記画像出力設定が開始されてから、前記操作部による本出力が完了するまでの間に、前記第二の画像データ入力手段による印刷処理が発生した場合に、前記操作部の操作者に対し、前記印刷処理の割込み許可の有無を問い合わせる問い合わせ手段を備えた画像形成装置。
【００１１】
（６）通信媒体を介して外部の情報処理装置から画像情報を入力する画像データ入力手段と、
操作者による指示に応じて画像データを読み出せるよう印刷対象のジョブの画像データを保存する保存手段と、
前記画像データ入力手段による画像データおよび前記保存手段に保存された画像データを用紙に印刷出力する印刷手段と、
前記保存手段に保存されたジョブの画像データを本印刷前に所定枚数または所定部数をテスト印刷するテスト印刷指示を含む印刷設定を行う操作部と、
前記テスト印刷開始から本印刷が完了するまで、前記テスト印刷を行ったジョブ以外の前記画像データ入力手段による印刷出力処理の起動を禁止するよう制御する制御手段とを備えた画像形成装置。
【００１２】
（７）前記（６）に記載の画像形成装置において、
前記制御手段は、前記操作部により指示されたテスト印刷の印刷後、前記操作部に対する操作が所定時間内に継続するのであれば、継続して前記画像データ入力手段による印刷出力処理の起動を禁止し、所定時間内に継続しないのであれば、前記画像データ入力手段による印刷出力処理の起動を許可するよう制御する画像形成装置。
【００１３】
（８）前記（６）に記載の画像形成装置において、
前記制御手段は、前記操作部による印刷設定が開始されてから、所定時間内に印刷設定操作が継続しない場合、前記画像出力を完了していなくとも、前記画像データ入力手段による印刷処理の起動を許可するよう制御する画像形成装置。
【００１４】
（９）前記（６）に記載の画像形成装置において、
前記制御手段は、前記操作部による前記印刷設定が第一の所定時間内に操作継続されず、前記画像データ入力手段による印刷処理が許可され、更に第二の所定時間内に操作が継続されなければ、前記操作部の設定操作表示をデフォルト表示に戻すように制御する画像形成装置。
【００１５】
（１０）前記（６）に記載の画像形成装置において、
前記操作部による前記印刷設定が開始されてから、前記印刷手段による本印刷が完了するまでの間に、前記第二の画像データ入力手段による印刷処理が発生した場合に、前記操作部の操作者に対し、前記印刷処理の割込み許可の有無を問い合わせる問い合わせ手段を備えた画像形成装置。
【００１６】
（１１）操作部での操作に従ってプリントジョブを実行する画像形成装置の制御方法において、
プリントジョブにかかる操作部の操作を受け付けるステップＡと、前記ステップＡで受け付けた操作が、プリント出力が予想される操作であるかどうかの判定をするステップＢと、前記ステップＢでプリント出力が予想される操作であると判定された場合に前記ジョブとは異なるプリントジョブを禁止するステップＣと、を備えた画像形成装置の制御方法。
【発明の効果】
【００１７】
本発明によれば、操作部の操作により、複雑な出力設定を行う場合、特に多部数を出力する場合、テスト的に一部だけ出力した後も、所定時間内に継続して操作がなされれば、プリント出力に割り込まれることがなく、テスト後の本出力を行うことができる。また、操作部の操作者が途中で処理を明示的にキャンセルしないような場合でも、プリンタ動作が継続して禁止されず、プリンタ動作の起動が可能となる。
【発明を実施するための最良の形態】
【００１８】
以下本発明を実施するための最良の形態を、実施例により詳しく説明する。
【実施例１】
【００１９】
図１は、実施例１である“カラー画像形成装置”の構成を示す断面図である。本カラー画像形成装置は上にカラーリーダ部Ｉを、下にカラープリンタ部IIを有する。
【００２０】
図１において、カラーリーダ部の上部には原稿台ガラス（プラテン）１１が横設され、その上には原稿給紙装置（ＤＦ）１２が設置されている。原稿給紙装置１２には、原稿がセットされたことを検知する原稿検知センサが設置されており、原稿検知信号は制御用ＣＰＵに通知される。なお、原稿給紙装置１２の代わりに不図示の鏡面圧板を装着する構成もある。カラーリーダ部１の内部には、第１、第２のキャリッジ１３、１９が配置されており、第１キャリッジ１３内にはハロゲンランプからなる光源１４、１５、これら光源１４、１５の光を原稿に集光する反射傘１６、１７、および原稿からの反射光又は投影光を反射するミラー１８が装着されている。又、第２キャリッジ１９にはミラー１８からの反射光をさらにＣＣＤ２４に集光するためのミラー２０、２１が装着されている。
【００２１】
なお、第１キャリッジ１３は速度Ｖで、第２キャリッジ１９は速度Ｖ／２で、ＣＣＤ２４の電気的走査（主走査）方向に対して垂直方向に、駆動手段２５により機械的に移動することによって、原稿の全面を走査（副走査）する。カラーリーダ部Ｉ内には、さらに、前記のＣＣＤ２４が実装された基板２３、画像処理部２６、および、他のＩＰＵ等とのインタフェース（Ｉ／Ｆ）部２７を備えている。
【００２２】
図１において、Ｙ画像形成部３０Ｙ、Ｍ画像形成部３０Ｍ、Ｃ画像形成部３０Ｃ、Ｋ画像形成部３０Ｋは、それぞれ、感光ドラム３１、帯電器３２、ＬＥＤ部３３、現像器３４、補助帯電器３５を具備している。又、帯電器３２は、それぞれ帯電スリーブ３６を、現像器３４は、それぞれ現像スリーブ３７を備えている。なお、それぞれの構成は同一なのでＹ画像形成部３０Ｙを詳細に説明し、他の画像形成部の説明は省略する。
【００２３】
Ｙ画像形成部３０Ｙには、感光ドラム３１が設けられ、その周りに帯電器３２、ＬＥＤ部３３、現像器３４、補助帯電器３５などが配置されている。
これらの動作は、まず補助帯電器３５と帯電器３２によって感光ドラム３１を帯電させる。帯電器３２は、スリーブ３６を感光ドラム３１とは逆方向に回転させることにより、低抵抗のフェライトキャリアで誘電ブラシを形成して感光ドラム３１の表面を一様に帯電し、潜像形成の準備を行う。
【００２４】
次いでＬＥＤアレー３３からの光を照射することによって、感光ドラム３１の表面に静電潜像が形成され、その潜像を現像器３４でイエローの現像剤を用いて現像することにより、潜像がイエロートナー像として可視化される。現像器３４は現像スリーブ３７を備え、現像スリーブ３７に現像剤を担持して感光ドラム３１に搬送し、現像スリーブ３７に現像バイアスを印加した下で潜像を現像する。
【００２５】
感光ドラム３１の下側には、記録材搬送部材の転写ベルト４０を挟んで転写帯電器（転写ローラ）３９が配置され、転写帯電器３９により転写ベルト４０の背面から放電を行い、感光ドラム３１上のイエロートナー像を、転写ベルト４０上に担持して搬送される紙などの記録材へ転写する。
【００２６】
この転写後、感光ドラム３１上に残留したトナーは帯電器３２に一旦取り込まれ、キャリアとの摩擦で帯電極性を変化させて再び感光ドラム３１上に戻し、現像器３４がこれを回収して再利用する。
【００２７】
次に、記録紙などの上へ画像を形成する手順を説明する。カセット４２、４３に格納された記録紙等はピックアップローラ４４、４５により１枚毎に取り出され、レジＯＮ検知センサ３８で検知される。レジＯＮ検知センサの状態はＣＰＵで制御され、ここで紙は一旦停止するよう制御される。無線読取装置６０は停止した紙の情報を読み出す。無線読取装置６０の読取結果により、定着器５６の温度、駆動ローラ４８のスピードを制御する。無線読取の終了した紙はレジストローラ帯４６、４７により移動する転写ベルト４０上に供給される。
【００２８】
転写ベルト４０は、Ｙ画像形成部３０Ｙ、Ｍ画像形成部３０Ｍ、Ｃ画像形成部３０Ｃ、Ｋ画像形成部３０Ｋの下方に配置され、駆動ローラ４８等の複数のローラに掛け回され、駆動ローラ４８による駆動で図１の矢印方向に回動する無端移動体に構成されている。
【００２９】
転写ベルト４０に給紙された記録紙は、紙先端センサ５１によってその先端を検知される。この紙先端センサ５１の検出信号はプリンタ部IIからカラーリーダ部Ｉへ送られて、カラーリーダ部Ｉからプリンタ部IIにビデオ信号を送る際の副走査同期信号として用いられる。
【００３０】
この後、記録紙等は、転写ベルト４０によって搬送され、画像形成部３０Ｙ、３０Ｍ、３０Ｃ、３０ＫにおいてＹＭＣＫの順にその表面にトナー画像が形成される。
【００３１】
Ｋ画像形成部３０Ｋを通過した記録紙等は、転写ベルト４０からの分離を容易にするため、除電帯電器５２で除電された後、転写ベルト４０から分離される。除電帯電器５２に隣接して剥離帯電器５３が設けられ、記録紙等が転写ベルト４０から分離する際の剥離放電による画像乱れを防止される。
【００３２】
分離された記録紙等は、トナーの吸着力を補って画像乱れを防止するために、定着前帯電器５４・５５で帯電された後、定着器５６でトナー画像が熱定着された後、排紙トレイ５７に排紙される。また、転写ベルト４０は内外除電器５９によって除電される。
【００３３】
次に操作部のより詳細な説明と本実施例の要点の説明を行う。図２は操作部１００を示す図である。１０１はコピー部数を入力するテンキーである。スタートキー１０２を押すことにより動作を開始する。出力画像の濃さを１０４で設定可能であり、更に応用モード１０３を選択可能である。他にも、ソートモード１０５、両面印刷１０６、ズーム１０７、画像の縮小、等倍、拡大１０８を選択可能である。
【００３４】
応用モード１０３を選択すると、更に図３に示す拡張画面１１０が表示される。ここでは、例えば縮小レイアウト１１６、トリミング／マスキング１１５、画像の移動１１４、綴じ代１１３、枠消し１１２、拡大レイアウト１１１などを選択できる。
【００３５】
拡大レイアウト１１１を選択する場合、更に図４に示す拡張画面１２０が出現する。ここでは、１枚に２面の原稿を二枚にする１２１、１枚に４面の原稿を４枚にする１２２など、原稿のレイアウトが設定可能である。
【００３６】
ここで、ユーザがこれらの機能に不慣れな場合、また、複数の設定を組み合わせて使いたい場合に、特に多部数をコピーするような場合には、テスト的に一枚、または一部の出力を行うことが容易に予想される。また、１枚のみ出力する場合でも、出力後の結果が予想と異なる場合は、再度出力操作を行うことが容易に予想される。そのため、所定の枚数、もしくは所定の部数を、テスト的に出力できるよう、図３に示すように、テスト出力を指示するキー１１７を設けている。このキー１１７が押されると、図５のようなテスト出力を選択する画面が表示され、ここで、テスト出力を選択した場合、デフォルト、もしくはユーザ設定により、所定枚数、あるいは所定部数のテスト出力が行われる。
【００３７】
前記テスト出力の結果をユーザが確認することにより、再度設定が変更されるか、又は本出力が継続される。ここで、操作部設定〜テスト出力〜本出力の一連の区間において、プリンタジョブの起動が許可されると、利便性が悪いため、プリンタジョブの起動を禁止する。
【００３８】
図６はプリンタジョブ起動禁止の制御を示している。まず、ステップ１３０（図ではＳ１３０と略記する、以下同様）で操作部の操作が開始されると、ステップ１３１へ移り出力が予想される操作であるかどうかの判定を行う。この判定は、例えば、原稿台１１上に原稿が置かれたことを検知した時、あるいは原稿給紙装置１２に原稿が置かれたことを検知した時などである。この判定ステップ１３１で操作部による出力操作が予想される場合、ステップ１３２へ移りプリンタジョブの起動を禁止する。プリンタジョブ禁止後、ステップ１３３へ移りテスト出力がなされるかどうかのチェックを開始する。テスト出力がなされていれば、ステップ１３２へ戻りプリンタジョブ禁止を継続する。
【００３９】
また、テスト出力の開始前であれば、ステップ１３４へ移り操作部の操作が継続してなされるかどうかのチェックを開始する。操作が所定時間になされれば、操作継続中と判断し、引き続きプリンタジョブの禁止を行う。
【００４０】
また、テスト出力後であっても、操作が所定時間内に継続しない場合、操作者による誤操作か、もしくは不明示な操作中断であると判断し、ステップ１３６へ移りプリンタ禁止を解除する。
【００４１】
また、操作が所定時間内になされた場合であっても（Ｓ１３４，ＹＥＳ）、操作部による出力が所定時間内になされない場合（Ｓ１３５，ＮＯ）、出力が予想されない操作であると判断し、ステップ１３６へ移り、やはりプリンタ禁止を解除する。
【００４２】
操作が継続的になされ、かつ操作部による出力が操作開始後の所定時間内になされた場合、ステップ１３２に戻りプリンタジョブの禁止を継続する。
【００４３】
また、ステップ１３６でプリンタジョブの禁止が解除された場合に、ステップ１３７へ移り、操作部による操作が所定時間内になされなければ、操作部の操作が途中で放棄されたとみなし、ステップ１３８へ移り画面をデフォルト画面に戻す。操作が所定時間内に継続するのであれば、操作部の操作が放棄されていないとみなし、操作画面をデフォルト画面には戻さず、ステップ１３１の前へ戻る。その場合の、復帰は、例えば、プリンタジョブが終了次第、再度プリンタジョブを禁止し、ステップ１３２のフローから継続できる。
【００４４】
また、前記のように、本出力が終了するまで、もしくは所定時間内に操作部による操作がなされないまで、プリンタジョブを禁止する方法の他にも、図７のように、プリンタジョブ禁止状態において、プリンタジョブが発生（ステップ１４０）した時、操作部による操作を行うユーザに対し、操作部の画面などで、プリンタジョブ発生を通知する（ステップ１４１）。前記通知に対し、前記ユーザが印刷出力を許可した場合には、プリント出力の許可を行うということも考えられる（ステップ１４２、１４３）。許可を行わない場合は、図６で示したように、本出力が終了するまで、もしくは所定時間内に操作部による操作が行われないといった条件までプリンタジョブの禁止を継続することになる（ステップ１４４）。
【００４５】
図８は、図６，図７の処理を行うＣＰＵを含む制御系の構成を示すブロック図である。本実施例のカラー画像形成装置は、リーダ部Ｉ、プリンタ部II、操作部１００、ＣＰＵ８００、入出力ポート（Ｉ／Ｏ）８０１、画像処理部２６、画像メモリ部８０２、外部インターフェース（Ｉ／Ｆ）処理部８０３、ＲＯＭ８０４、ＲＡＭ８０５を備えている。
【００４６】
ＣＰＵ８００は、本カラー画像形成装置の基本制御を行う中央処理装置である。ＣＰＵ８００には、制御プログラムが書き込まれたＲＯＭ８０４と、ＣＰＵ８００が各種処理を行うためのワーク領域を提供するＲＡＭ８０５と、信号の入出力を行う入出力ポート８０１が、アドレスバス、データバスにより接続されている。入出力ポート８０１には、本カラー画像形成装置の各部の機構を駆動するモータ、クラッチ等の各種負荷（不図示）や、記録材の位置を検知するセンサ等の入力（不図示）が接続されている。ＣＰＵ８００は、ＲＯＭ８０４の記憶内容（制御プログラム）に従って入出力ポート８０１を介して順次入出力の制御を行うことで、画像形成動作を実行する。
【００４７】
また、ＣＰＵ８００には、各種表示を行うための表示手段及び各種設定を行うためのキー入力手段を備えた操作部１００が接続されている。ＣＰＵ８００は、操作部１００の表示手段に対する表示、キー入力手段からの入力を処理する。操作者は操作部１００のキー入力手段を介して、各種モードの表示の切り替えをＣＰＵ８００に指示し、ＣＰＵ８００は画像形成装置の状態やキー入力による動作モード設定の表示を行う。更に、ＣＰＵ８００には、リーダ部Ｉで原稿の光学像から変換された電気信号を処理する画像処理部２６と、処理された画像を蓄積する画像メモリ部８０２が接続されている。
【００４８】
以上説明したように、本実施例によれば、操作部の操作により、複雑な出力設定を行う場合、特に多部数を出力する場合、テスト的に一部だけ出力した後も、所定時間内に継続して操作がなされれば、プリント出力に割り込まれることがなく、テスト後の本出力を行うことができる。また、操作部の操作者が途中で処理を明示的にキャンセルしないような場合でも、プリンタ動作が継続して禁止されず、プリンタ動作の起動が可能となる。
【００４９】
なお、以上の実施例では、原稿台によるコピー処理とプリンタ出力処理との競合について述べたが、通信媒体を介して他の情報処理装置から入力した画像データを画像形成装置内部に保存し、その保存データを操作部により出力操作可能な機能を持つ画像形成装置における出力処理についても、同様の制御が可能である。すなわち、保存データを操作部により出力操作する際の、通信媒体を介して他の情報処理装置から入力する画像データの出力処理との競合について同様の制御が可能である。
【００５０】
また、画像形成装置の操作部による操作以外であっても、例えば、至近距離無線を使用する操作部のように、画像形成装置に対し、比較的近くのユーザによる入力と、ＬＡＮなどのネットワークなどを介し、遠隔の情報装置からの入力のように、ユーザの距離の遠近によりジョブ優先度を変えることが明らかに利便性に適う場合には、同様の制御が可能である。
【図面の簡単な説明】
【００５１】
【図１】実施例１である画像形成装置の構成を示す図
【図２】操作部を示す図
【図３】操作部拡張画面を示す図
【図４】操作部拡張画面を示す図
【図５】テストプリント画面を示す図
【図６】実施例１の処理を示すフローチャート
【図７】プリントジョブ禁止処理中のプリントジョブ発生における処理を示すフローチャート
【図８】制御系の構成を示すブロック図
【符号の説明】
【００５２】
１１      原稿台
１００    操作部
８００    ＣＰＵ
【図１】
2006056025.tif 000003
【図２】
2006056025.tif 000004
【図３】
2006056025.tif 000005
【図４】
2006056025.tif 000006
【図５】
2006056025.tif 000007
【図６】
2006056025.tif 000008
【図７】
2006056025.tif 000009
【図８】
2006056025.tif 000010